(57)【要約】【課題】操作性のよい電子機器、操作支援方法及びプログラムを提供すること。【解決手段】操作を受付可能な操作部４０と、操作部４０に対応して配置され、操作部４０の位置を知らせる発光部４２と、モニタ２０に表示している電子機器１０の取り扱いを説明する取扱説明データにおいて説明している操作部４０に対応して配置された発光部４２を発光させる発光制御部７３、を備えることを特徴とする。【選択図】図１
2019061401.tif 000002
【特許請求の範囲】
【請求項１】
操作を受付可能な操作部と、
前記操作部に対応して配置され、前記操作部の位置を知らせる発光部と、
表示部に表示している電子機器の取り扱いを説明する取扱説明データにおいて説明している前記操作部に対応して配置された前記発光部を発光させる発光制御部と、
を備えることを特徴とする電子機器。
【請求項２】
前記取扱説明データを再生することを制御する再生制御部と、
前記再生制御部による制御に基づいて、前記取扱説明データを前記表示部に表示する映像信号を出力し、前記取扱説明データの再生中の位置を示す再生位置を取得可能な表示制御部と、
を備え、
前記発光制御部は、前記表示制御部によって取得した前記再生位置に基づいて、前記表示部に表示している前記取扱説明データにおいて説明している前記操作部に対応して配置された前記発光部を発光させる、
請求項１に記載の電子機器。
【請求項３】
前記再生制御部は、前記取扱説明データを再生していない状態において、前記操作部に対して操作されると、操作された前記操作部の取り扱いを説明する前記取扱説明データを再生する、
請求項２に記載の電子機器。
【請求項４】
操作を受付可能な操作部と、
前記操作部に対応して配置され、前記操作部の位置を知らせる発光部と、
を有する電子機器の操作支援方法であって、
表示部に表示している電子機器の取り扱いを説明する取扱説明データにおいて説明している前記操作部に対応して配置された前記発光部を発光させる発光制御ステップ、
を含むことを特徴とする電子機器の操作支援方法。
【請求項５】
操作を受付可能な操作部と、
前記操作部に対応して配置され、前記操作部の位置を知らせる発光部と、
を有する電子機器として動作するコンピュータに実行させるためのプログラムであって、
表示部に表示している電子機器の取り扱いを説明する取扱説明データにおいて説明している前記操作部に対応して配置された前記発光部を発光させる発光制御ステップ、
を電子機器として動作するコンピュータに実行させるためのプログラム。
【発明の詳細な説明】
【技術分野】
【０００１】
本出願は、電子機器、操作支援方法及びプログラムに関する。
【背景技術】
【０００２】
電子機器は、多くの機能を有している。そこで、ユーザの操作を支援するために、印刷された取扱説明書またはインターネット上に公開された取扱説明ページによって、取り扱い説明が提供される。
【０００３】
音響装置の動作モード及び動作状態を視覚に直感的に把握できるようにする技術が知られている（例えば、特許文献１参照）。この技術は、カーオーディオ装置等の音響装置の操作キーに設けられているキー照明素子を音響装置の動作状態に合わせて、点灯／消灯状態を変化させる。操作キーを操作する際に、現時点で操作が有効となっているか無効となっているかをわかるようにしたＤＶＤプレーヤーに関する技術が知られている（例えば、特許文献２参照）。
【先行技術文献】
【特許文献】
【０００４】
【特許文献１】特開平０９−１２８９５２号公報
【特許文献２】特開平１１−３１２０４２号公報
【発明の概要】
【発明が解決しようとする課題】
【０００５】
しかしながら、印刷された取扱説明書は、ページ数が多かったり、文字が小さかったりすることがある。インターネット上に公開された取扱説明ページは、複数ページに亘る記載を参照しながら電子機器を操作しなくてはならない。印刷された取扱説明書またはインターネット上に公開された取扱説明ページは、可読性が悪かったり、知りたい情報を見つけにくかったりすることがある。このように、電子機器は、操作性について改善の余地があった。
【０００６】
本発明は、上記に鑑みてなされたものであって、操作性のよい電子機器、操作支援方法及びプログラムを提供することを目的とする。
【課題を解決するための手段】
【０００７】
上述した課題を解決し、目的を達成するために、本発明に係る電子機器は、操作を受付可能な操作部と、前記操作部に対応して配置され、前記操作部の位置を知らせる発光部と、表示部に表示している電子機器の取り扱いを説明する取扱説明データにおいて説明している前記操作部に対応して配置された前記発光部を発光させる発光制御部と、を備えることを特徴とする。
【０００８】
本発明に係る操作支援方法は、操作を受付可能な操作部と、前記操作部に対応して配置され、前記操作部の位置を知らせる発光部と、を有する電子機器の操作支援方法であって、表示部に表示している電子機器の取り扱いを説明する取扱説明データにおいて説明している前記操作部に対応して配置された前記発光部を発光させる発光制御ステップ、を含むことを特徴とする。
【０００９】
本発明に係るプログラムは、操作を受付可能な操作部と、前記操作部に対応して配置され、前記操作部の位置を知らせる発光部と、を有する電子機器として動作するコンピュータに実行させるためのプログラムであって、表示部に表示している電子機器の取り扱いを説明する取扱説明データにおいて説明している前記操作部に対応して配置された前記発光部を発光させる発光制御ステップを電子機器として動作するコンピュータに実行させる。
【発明の効果】
【００１０】
本発明によれば、操作性のよい電子機器、操作支援方法及びプログラムを提供することができるという効果を奏する。
【図面の簡単な説明】
【００１１】
【図１】図１は、第一実施形態に係る電子機器の構成例を示すブロック図である。
【図２】図２は、第一実施形態に係る電子機器の一例としてビデオカメラの斜視図である。
【図３】図３は、第一実施形態に係る電子機器の取扱説明動画の一例を説明する図である。
【図４】図４は、第一実施形態に係る電子機器の操作部制御情報の一例を説明する図である。
【図５】図５は、第一実施形態に係る電子機器が行う処理の一例を示すフローチャートである。
【図６】図６は、第一実施形態に係る電子機器の取扱説明動画の一例を示す図である。
【図７】図７は、第一実施形態に係る電子機器の操作部の一例を示す斜視図である。
【図８】図８は、第一実施形態に係る電子機器の取扱説明動画が表示された表示面の一例を示す図である。
【図９】図９は、第一実施形態に係る電子機器の取扱説明動画の他の例を示す図である。
【図１０】図１０は、第一実施形態に係る電子機器の操作部の他の例を示す斜視図である。
【図１１】図１１は、第一実施形態に係る電子機器の操作部の他の例を示す斜視図である。
【図１２】図１２は、第一実施形態に係る電子機器の操作部の他の例を示す斜視図である。
【図１３】図１３は、第二実施形態に係る電子機器が行う処理の一例を示すフローチャートである。
【図１４】図１４は、第三実施形態に係る電子機器の構成例を示すブロック図である。
【発明を実施するための形態】
【００１２】
以下に添付図面を参照して、本発明に係る電子機器、操作支援方法及びプログラムの実施形態を詳細に説明する。なお、以下の実施形態により本発明が限定されるものではない。
【００１３】
［第一実施形態］
図１は、第一実施形態に係る電子機器の構成例を示すブロック図である。図２は、第一実施形態に係る電子機器の一例としてビデオカメラの斜視図である。電子機器１０は、例えば、ビデオカメラ、オーディオ機器、カーナビゲーション装置、ドライブレコーダなどである。本実施形態では、電子機器１０の一例として、ビデオカメラについて説明する。電子機器１０は、ユーザが取扱説明データによって電子機器１０の取り扱いを確認する際に、取扱説明データが再生されている際の、再生中の位置を示す再生位置に応じて、操作を支援する機能を有する。電子機器１０は、モニタ２０と、スピーカ３０と、操作部４０と、動作部５０と、記憶部６０と、制御部７０とを備える。 
【００１４】
モニタ２０は、動画および各種情報を画面２０ａに表示可能である。モニタ２０は、タッチパネル式ディスプレイであり、各種操作を入力可能である。モニタ２０は、例えば、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含む。モニタ２０は、センサである操作検出部２１を含む。モニタ２０は、制御部７０の再生制御部７１からの制御信号に基づいて、映像を表示する。
【００１５】
本実施形態において、モニタ２０の本体は、電子機器１０の筐体１１に対して開閉操作する。モニタ２０の本体を開操作すると、電子機器１０の電源を入れる。モニタ２０の本体を閉操作すると、電子機器１０の電源を切る。このように、本実施形態において、モニタ２０の本体は、電子機器１０に対する操作を受付可能な操作部４０と同様に機能する。
【００１６】
操作検出部２１は、モニタ２０の本体の、電子機器１０の筐体１１に対する開閉操作を検出する。操作検出部２１は、検出した操作情報を制御部７０に出力する。
【００１７】
発光部２２は、モニタ２０の位置を知らせるために発光する発光素子である。発光部２２は、モニタ２０の本体の側面に配置されている。発光部２２は、モニタ２０の本体の動作状態に合わせて点灯／消灯を切り替える。点灯には、点滅を含む。発光部２２は、モニタ２０の本体の操作を含む取扱説明データがモニタ２０に表示されるとき、点灯／消灯を切り替える。本実施形態では、発光部２２は、モニタ２０の本体の操作を含む、例えば、図６を用いて後述する取扱説明動画１００が再生されるとき、点灯／消灯を切り替える。
【００１８】
スピーカ３０は、音声出力部である。スピーカ３０は、制御部７０の再生制御部７１からの制御信号に基づいて、映像の音声を出力する。
【００１９】
操作部４０は、電子機器１０に対する操作を受付可能である。操作部４０は、電子機器１０に設けられている。操作部４０は、ユーザがビデオカメラを操作するボタン、スイッチノブ、ダイヤル、または、画面２０ａに表示されタッチパネルによって操作する各画像である。操作部４０は、電子機器１０に一つ以上配置される。各操作部４０は、操作検出部４１と発光部４２との少なくともいずれかを有する。
【００２０】
操作検出部４１は、操作部４０に対してユーザが行った操作を検出する。操作検出部４１は、検出した操作情報を制御部７０に出力する。
【００２１】
発光部４２は、操作部４０の位置を知らせるために発光する発光素子である。発光部４２は、操作部４０に対応して配置されている。操作部４０に対応して配置されているとは、操作部４０の近傍に配置されているものと、操作部４０と一体に形成されているものとを含む。
【００２２】
または、発光部４２は、操作部４０が画面２０ａに表示された画像である場合、操作部４０の位置を知らせるために発光したように視認させる、色または輝度を変化させた操作部４０の画像である。ここでは、色または輝度を変化させた操作部４０の画像を表示している状態を、当該操作部４０の発光部４２が点灯しているという状態に含める。
【００２３】
ここで、図１、図２以外にも、図７、図８、図１０、図１２を用いて、本実施形態の一部を構成する操作部４０、ＳＤカードカバー４０Ｃ、ＳＤカードスロット４０Ｄについて説明するが、詳細は後述する。
【００２４】
図７を用いて、本実施形態における操作部４０の例を説明する。ＳＴＡＲＴ／ＳＴＯＰボタン４０Ａは、動画または静止画の撮影を開始または停止するための操作を入力可能なボタンである。ＳＴＡＲＴ／ＳＴＯＰボタン４０Ａは、電子機器１０の筐体１１に配置された物理ボタンである。ＳＴＡＲＴ／ＳＴＯＰボタン４０Ａは、押下操作される。ＳＴＡＲＴ／ＳＴＯＰボタン４０Ａは、操作検出部４１Ａと発光部４２Ａとを有する。
【００２５】
操作検出部４１Ａは、ＳＴＡＲＴ／ＳＴＯＰボタン４０Ａに対する入力操作を検出する。操作検出部４１Ａは、入力操作を検出すると、操作情報を図１の制御部７０に出力する。
【００２６】
発光部４２Ａは、ＳＴＡＲＴ／ＳＴＯＰボタン４０Ａの位置を知らせるために発光する発光素子である。発光部４２Ａは、ＳＴＡＲＴ／ＳＴＯＰボタン４０Ａと一体に形成されている。発光部４２Ａは、ＳＴＡＲＴ／ＳＴＯＰボタン４０Ａの動作状態に合わせて点灯／消灯を切り替える。発光部４２Ａは、ＳＴＡＲＴ／ＳＴＯＰボタン４０Ａの操作を含む取扱説明データがモニタ２０に表示されるとき、点灯／消灯を切り替える。本実施形態では、発光部４２Ａは、ＳＴＡＲＴ／ＳＴＯＰボタン４０Ａの操作を含む取扱説明動画１００が再生されるとき、点灯／消灯を切り替える。
【００２７】
また図８を用いて、画面２０ａに表示された画像が操作部４０として機能している状態を説明する。撮影開始／停止ボタン４０Ｂは、画面２０ａに表示された画像である。撮影開始／停止ボタン４０Ｂは、動画または静止画の撮影を開始または停止するための操作を入力可能なボタンである。撮影開始／停止ボタン４０Ｂは、タッチ操作される。撮影開始／停止ボタン４０Ｂは、操作検出部４１Ｂと発光部４２Ｂとを有する。
【００２８】
操作検出部４１Ｂは、撮影開始／停止ボタン４０Ｂに対する入力操作を検出する。より詳しくは、操作検出部４１Ｂは、撮影開始／停止ボタン４０Ｂに対するタッチ操作をセンサによって検出する。センサの方式は、例えば、静電容量方式などの公知のいずれの方式でもよい。操作検出部４１Ｂは、入力操作を検出すると、操作情報を図１の制御部７０に出力する。
【００２９】
発光部４２Ｂは、撮影開始／停止ボタン４０Ｂの位置を知らせるために発光したように視認させる、色または輝度を変化させた撮影開始／停止ボタン４０Ｂの画像である。発光部４２Ｂは、撮影開始／停止ボタン４０Ｂの動作状態に合わせて、色または輝度を変化させた撮影開始／停止ボタン４０Ｂの画像を表示／非表示にする。発光部４２Ｂは、撮影開始／停止ボタン４０Ｂの操作を含む取扱説明データが図２のモニタ２０に表示されるとき、表示／非表示を切り替える。本実施形態では、発光部４２Ｂは、撮影開始／停止ボタン４０Ｂの操作を含む取扱説明動画１００が再生されるとき、表示／非表示を切り替える。
【００３０】
図１０を用いて、ＳＤカードカバー４０Ｃについて説明する。ＳＤカードカバー４０Ｃは、例えば、接続端子と、ＳＤカードを含む記憶メディア用のスロットとに対して開閉自在に配置されたカバーである。ＳＤカードカバー４０Ｃは、筐体１１に対して開閉操作される。ＳＤカードカバー４０Ｃは、操作検出部４１Ｃと発光部４２Ｃとを有する。
【００３１】
操作検出部４１Ｃは、ＳＤカードカバー４０Ｃに対する開閉操作を検出する。より詳しくは、操作検出部４１Ｃは、ＳＤカードカバー４０Ｃが開閉操作を検出すると、操作情報を図１の制御部７０に出力する。
【００３２】
発光部４２Ｃは、ＳＤカードカバー４０Ｃの位置を知らせるために発光する発光素子である。発光部４２Ｃは、ＳＤカードカバー４０Ｃの近傍に配置されている。発光部４２Ｃは、ＳＤカードカバー４０Ｃの開閉状態に合わせて点灯／消灯を切り替える。発光部４２Ｃは、ＳＤカードカバー４０Ｃの操作を含む取扱説明データがモニタ２０に表示されるとき、点灯／消灯を切り替える。本実施形態では、発光部４２Ｃは、ＳＤカードカバー４０Ｃの操作を含む取扱説明動画１００が再生されるとき、点灯／消灯を切り替える。
【００３３】
図１２を用いて、ＳＤカードスロット４０Ｄについて説明する。ＳＤカードスロット４０Ｄは、ＳＤカードを着脱可能なスロットである。ＳＤカードスロット４０Ｄには、ＳＤカードが抜き差しされる。ＳＤカードスロット４０Ｄは、操作検出部４１Ｄと発光部４２Ｄとを有する。
【００３４】
操作検出部４１Ｄは、ＳＤカードスロット４０Ｄに対するＳＤカードの抜き差し操作を検出する。より詳しくは、操作検出部４１Ｄは、ＳＤカードスロット４０Ｄに対するＳＤカードの抜き差し操作を検出すると、操作情報を図１の制御部７０に出力する。
【００３５】
発光部４２Ｄは、ＳＤカードスロット４０Ｄの位置を知らせるために発光する発光素子である。発光部４２Ｄは、ＳＤカードスロット４０Ｄの近傍に配置されている。発光部４２Ｄは、ＳＤカードスロット４０ＤへのＳＤカードの抜き差し状態に合わせて点灯／消灯を切り替える。発光部４２Ｄは、ＳＤカードスロット４０Ｄの操作を含む取扱説明データがモニタ２０に表示されるとき、点灯／消灯を切り替える。本実施形態では、発光部４２Ｄは、ＳＤカードスロット４０Ｄの操作を含む取扱説明動画１００が再生されるとき、点灯／消灯を切り替える。
【００３６】
ここで図１に戻り、動作部５０、記憶部６０について説明する。動作部５０は、操作部４０に対して行われた操作に基づいて動作する。例えば、動作部５０は、ＳＴＡＲＴ／ＳＴＯＰボタン４０Ａまたは撮影開始／停止ボタン４０Ｂに対する操作によって動作する撮像部である。例えば、動作部５０は、ＳＤカードスロット４０Ｄに対するＳＤカードの抜き差し操作によって動作する読取部である。例えば、動作部５０は、モニタ２０の本体の開閉操作によって動作する電源部である。
【００３７】
記憶部６０は、電子機器１０におけるデータの一時記憶などに用いられる。記憶部６０は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ（Ｆｌａｓｈ  Ｍｅｍｏｒｙ）などの半導体メモリ素子、または、ハードディスク、光ディスクなどの記憶装置である。または、図示しない通信装置を介して無線接続される外部記憶装置であってもよい。記憶部６０は、取扱説明データと、取扱説明データの再生位置に関連付けられ、記取扱説明データにおいて説明している操作対象であるモニタ２０の本体および操作部４０の制御情報を示す操作部制御情報とを記憶している。
【００３８】
取扱説明データは、ユーザが電子機器１０を操作する際の操作方法を説明する。取扱説明データは、操作ごとに、ユーザが操作を行うべき操作対象と、操作対象をどのように操作するかを説明した操作方法とを含む。取扱説明データは、メタデータの一つとして操作対象に関する操作部制御情報を参照するための識別情報とを有する。取扱説明データは、例えば、印刷された取扱説明書を動画像によって表した動画と、印刷された取扱説明書を公開するＷＥＢページのデータを含む画像と、印刷された取扱説明書を電子的に保存した電子ファイルとを含む。本実施形態では、取扱説明データは、取扱説明動画１００として説明する。
【００３９】
取扱説明動画１００は、電子機器１０の取り扱いを説明する一つ以上の動画である。より詳しくは、取扱説明動画１００は、操作ごとに、ユーザが操作を行うべき操作対象であるモニタ２０の本体および操作部４０と、操作対象をどのように操作するかを説明する操作方法とを含む。例えば、電子機器１０の「電源を入れる」操作についての取扱説明動画１００は、操作部４０である電源ボタンを押下操作することを説明する。取扱説明動画１００には、操作部制御情報が関連付けられている。より詳しくは、取扱説明動画１００には、ユーザによる操作部４０の操作が求められる再生位置に、操作部制御情報を識別する識別情報が関連付けられている。一つの取扱説明動画１００に対して、複数の操作部制御情報が関連付けられていてもよい。
【００４０】
取扱説明動画１００の再生位置は、例えば、取扱説明動画１００の区切りを示すチャプター情報、取扱説明動画１００の所定位置を示すスタンプ情報、または、取扱説明動画１００の再生開始からの再生時間を示す時間情報である。
【００４１】
図３を用いて、取扱説明動画１００の一例について説明する。図３は、第一実施形態に係る電子機器の取扱説明動画の一例を説明する図である。例えば、取扱説明動画１００は、複数の動画を含む。取扱説明動画１００の一つである動画i１は、メタデータに操作部制御情報の識別情報「Ａ」を含む。取扱説明動画１００の一つである動画i３は、メタデータに操作部制御情報の識別情報「Ｂ」を含む。取扱説明動画１００の一つである動画i２、動画i４は、メタデータに操作部制御情報の識別情報を含まない。
【００４２】
操作部制御情報は、取扱説明動画１００において説明している操作対象の制御情報である。操作部制御情報は、操作部制御情報を識別する識別情報ごとに、操作対象と、動作情報とを記憶する。より詳しくは、操作部制御情報は、操作対象と、操作対象に対する操作によって動作する動作部５０の動作情報とを記憶する。操作部制御情報は、取扱説明動画１００の再生位置が所定位置となると、操作対象の発光部を発光させる制御信号を出力するための制御情報を含む。また、操作部制御情報は、操作対象に対する操作が行われると、操作によって動作する動作部５０に対して制御信号を出力するための制御情報を含む。
【００４３】
図４を用いて、操作部制御情報の一例について説明する。図４は、第一実施形態に係る電子機器の操作部制御情報の一例を説明する図である。例えば、識別情報Ａの操作部制御情報は、操作対象の操作部４０がＳＴＡＲＴ／ＳＴＯＰボタン４０Ａまたは撮影開始／停止ボタン４０Ｂであり、動作情報が「停止状態のとき撮影開始」、「撮影状態のとき停止」である。識別情報Ｂの操作部制御情報は、操作対象の操作部４０がＳＤカードカバー４０Ｃであり、動作情報が「電源を切る」である。
【００４４】
ここで図１に戻り、制御部７０、再生制御部７１、表示制御部７２、発光制御部７３、操作情報取得部７４、動作制御部７５について説明する。
【００４５】
制御部７０は、モニタ２０とスピーカ３０と操作部４０と動作部５０と記憶部６０との制御を実行する。より詳しくは、制御部７０は、取扱説明動画１００の再生制御を行う。そして、制御部７０は、再生している取扱説明動画１００において説明されているモニタ２０の本体の発光部２２または各操作部４０の発光部４２の発光を制御する。そして、制御部７０は、モニタ２０の本体または各操作部４０に対する操作に応じて、動作部５０の動作を制御する。制御部７０は、例えば、ＣＰＵ（Ｃｅｎｔｒａｌ  Ｐｒｏｃｅｓｓｉｎｇ  Ｕｎｉｔ）や映像処理用プロセッサなどで構成された演算処理装置（制御部）である。制御部７０は、記憶部６０に記憶されているプログラムをメモリにロードして、プログラムに含まれる命令を実行する。制御部７０は、一または複数の装置で構成されていてもよい。制御部７０は、再生制御部７１と、表示制御部７２と、発光制御部７３と、操作情報取得部７４と、動作制御部７５とを有する。
【００４６】
再生制御部７１は、取扱説明動画１００の再生を制御する。より詳しくは、再生制御部７１は、モニタ２０における取扱説明動画１００の表示と、スピーカ３０における取扱説明動画１００の音声の出力とを実行する制御信号を出力する。再生制御部７１は、ユーザの操作に基づいて選択された取扱説明動画１００を記憶部６０から取得し、モニタ２０に動画を表示し、スピーカ３０によって音声を出力する。
【００４７】
また、再生制御部７１は、取扱説明動画１００が再生されていない状態において、操作部４０をユーザが操作すると、操作された操作部４０に関連する取扱説明動画１００をモニタ２０に表示してもよい。再生制御部７１は、操作部４０に関連する取扱説明動画１００が複数ある場合は、各動画のサムネイルをモニタ２０にリストとして表示してもよい。
【００４８】
表示制御部７２は、再生制御部７１による制御に基づいて、モニタ２０に取扱説明動画１００を表示する映像信号を出力したり、出力を停止したりする。表示制御部７２は、常時、取扱説明動画１００の再生中の位置を示す再生位置を取得可能である。表示制御部７２は、常時、モニタ２０において再生している取扱説明動画１００の再生位置を取得可能である。表示制御部７２は、取得した取扱説明動画１００の再生位置を発光制御部７３に出力する。
【００４９】
表示制御部７２は、操作対象が画面２０ａに表示されタッチパネルによって操作する画像である場合、操作対象の画像を点灯するとき、画面２０ａにおける取扱説明動画１００の表示態様を変えて、操作対象の画像を前面に表示する。より詳しくは、表示制御部７２は、操作対象の画像を点灯するとき、取扱説明動画１００の画面２０ａにおける表示範囲を縮小して、操作対象の画像を画面２０ａの前面に表示してもよい。表示制御部７２は、操作対象の画像を点灯するとき、取扱説明動画１００を半透過にして、操作対象の画像を画面２０ａの前面に表示してもよい。表示制御部７２は、操作対象の画像を点灯するとき、取扱説明動画１００の画面２０ａにおける表示位置をずらして、操作対象の画像を画面２０ａの前面に表示してもよい。
【００５０】
発光制御部７３は、モニタ２０に表示している取扱説明動画１００において説明している操作対象であるモニタ２０の本体または操作部４０の近傍に配置された発光部を発光させる。発光制御部７３は、モニタ２０の本体の発光部２２または操作部４０の発光部４２の点灯／消灯を制御する制御信号を出力する。より詳しくは、発光制御部７３は、取扱説明動画１００の再生時に、表示制御部７２によって取得した再生位置と、再生位置に関連付けられた操作部制御情報とに基づいて、モニタ２０に表示している取扱説明動画１００において説明されているモニタ２０の本体の発光部２２または操作部４０の発光部４２を点灯する。発光制御部７３は、モニタ２０の本体の発光部２２または操作部４０の発光部４２を点灯した後、操作情報取得部７４によって操作対象であるモニタ２０の本体または操作部４０に対するユーザの操作が検出されると、モニタ２０の本体の発光部２２または操作部４０の発光部４２を消灯する。
【００５１】
発光制御部７３は、操作部４０が画面２０ａに表示された画像である場合、色または輝度を変化させた操作部４０の画像を表示させる。発光制御部７３は、色または輝度を変化させた操作部４０の画像を表示した後、操作情報取得部７４によって操作部４０の画像に対するユーザの操作が検出されると、点灯していない通常状態の操作部４０の画像を表示する。
【００５２】
操作情報取得部７４は、モニタ２０の本体の操作検出部２１または操作部４０の操作検出部４１で検出した操作情報を取得する。より詳しくは、操作情報取得部７４は、モニタ２０の本体または操作部４０に対するユーザの操作に係る操作情報を取得する。操作情報取得部７４は、取得した操作情報を動作制御部７５に出力する。
【００５３】
動作制御部７５は、操作情報取得部７４で取得した操作情報に基づいて、モニタ２０の本体または操作部４０に対するユーザの操作が検出されると、対象の動作部５０の動作を制御する制御信号を出力する。
【００５４】
次に、図５を用いて、電子機器１０が行う処理の方法及び作用について説明する。図５は、第一実施形態に係る電子機器が行う処理の一例を示すフローチャートである。
【００５５】
ユーザが取扱説明動画１００の再生開始操作を行う。より詳しくは、例えば、ユーザが、メニュー画面に表示された項目の中から内容を確認したい項目を選択する。メニュー画面には、ビデオカメラである電子機器１０の操作の項目を表示する。例えば、項目としては、「電源を入れる」、「動画を撮る」、「ＳＤカードを入れる」のような各操作である。
【００５６】
ユーザが取扱説明動画１００の中から、確認したい項目を選択して再生開始操作を行うと、電子機器１０は、選択された項目に対応した取扱説明動画１００を再生する（ステップＳ１１）。より詳しくは、電子機器１０は、再生制御部７１によって、選択された項目に対応した取扱説明動画１００を再生する制御信号を出力する。電子機器１０は、表示制御部７２によって、モニタ２０に取扱説明動画１００を表示する映像信号を出力する。電子機器１０は、ステップＳ１２に進む。
【００５７】
電子機器１０は、取扱説明動画１００の再生位置が、操作対象を点灯させる位置に到達したか否かを判定する（ステップＳ１２）。より詳しくは、電子機器１０は、再生制御部７１によって、取扱説明動画１００の再生位置を検出し、取扱説明動画１００の再生位置がモニタ２０の本体または操作部４０を点灯させる位置に到達したか否か、言い換えると、操作部制御情報が関連付けられた位置に到達したか否かを判定する。電子機器１０は、操作部制御情報が関連付けられた位置に到達したと判定される場合、取扱説明動画１００の再生位置がモニタ２０の本体または操作部４０を点灯させる位置に到達したと判定して（ステップＳ１２でＹｅｓ）、ステップＳ１３に進む。電子機器１０は、操作部制御情報が関連付けられた位置に到達していないと判定される場合、取扱説明動画１００の再生位置がモニタ２０の本体または操作部４０を点灯させる位置に到達していないと判定し（ステップＳ１２でＮｏ）、ステップＳ１２の処理を再度実行する。
【００５８】
電子機器１０は、操作対象を点灯させる（ステップＳ１３）。より詳しくは、電子機器１０は、発光制御部７３によって、操作部制御情報に基づいて、モニタ２０の本体の発光部２２または操作部４０の発光部４２を点灯する。電子機器１０は、ステップＳ１４に進む。
【００５９】
電子機器１０は、操作対象への入力があるか否かを判定する（ステップＳ１４）。より詳しくは、電子機器１０は、操作情報取得部７４によって、モニタ２０の本体または操作部４０への入力の有無を検出する。電子機器１０は、操作情報取得部７４によって、モニタ２０の本体または操作部４０への入力が検出された場合（ステップＳ１４でＹｅｓ）、ステップＳ１５に進む。電子機器１０は、操作情報取得部７４によって、モニタ２０の本体または操作部４０への入力が検出されない場合（ステップＳ１４でＮｏ）、ステップＳ１４の処理を繰り返す。
【００６０】
電子機器１０は、動作を実行する（ステップＳ１５）。より詳しくは、電子機器１０は、動作制御部７５によって、モニタ２０の本体または操作部４０への入力に応じて動作部５０の動作を実行する。電子機器１０は、ステップＳ１６に進む。
【００６１】
電子機器１０は、取扱説明動画１００の再生を終了する（ステップＳ１６）。より詳しくは、電子機器１０は、再生制御部７１によって、取扱説明動画１００の再生を終了する。電子機器１０は、処理を終了する。
【００６２】
また、電子機器１０は、一つの取扱説明動画１００に複数の操作部制御情報が関連付けられている場合、ステップＳ１１からステップＳ１５の処理を、取扱説明動画１００の再生が終了するまで操作部制御情報の数だけ繰り返す。
【００６３】
図６ないし図８を用いて、例えば、動画を撮る操作について説明する取扱説明動画１００を再生するとき、電子機器１０が行う処理について説明する。図６は、第一実施形態に係る電子機器の取扱説明動画の一例を示す図である。図７は、第一実施形態に係る電子機器の操作部の一例を示す斜視図である。図８は、第一実施形態に係る電子機器の取扱説明動画が表示された表示面の一例を示す図である。
【００６４】
図６に示すように、電子機器１０は、再生制御部７１によって、動画を撮る操作について説明する取扱説明動画１００をモニタ２０に表示し、スピーカ３０で取扱説明動画１００の音声を出力する。
【００６５】
取扱説明動画１００の再生位置が、図６に示す動画像をモニタ２０に表示する位置であるとき、関連付けられた操作部制御情報が存在する。
【００６６】
図７、図８に示すように、電子機器１０は、モニタ２０に図６に示す動画像が表示されると、操作部制御情報に基づいて、発光制御部７３によって、操作部４０であるＳＴＡＲＴ／ＳＴＯＰボタン４０Ａの発光部４２Ａ、および、撮影開始／停止ボタン４０Ｂの発光部４２Ｂを点灯する。
【００６７】
本実施形態では、撮影開始／停止ボタン４０Ｂの発光部４２Ｂが点灯されるとき、表示制御部７２によって、画面２０ａにおける取扱説明動画１００の表示範囲が縮小されて、撮影開始／停止ボタン４０Ｂおよび発光部４２Ｂが画面２０ａの前面に表示されるようにする。
【００６８】
ユーザは、発光部４２Ａおよび発光部４２Ｂが点灯していることにより、ＳＴＡＲＴ／ＳＴＯＰボタン４０Ａまたは画面２０ａに表示された撮影開始／停止ボタン４０Ｂを操作すればよいことを確認する。ユーザは、ＳＴＡＲＴ／ＳＴＯＰボタン４０Ａを押下操作するか、または、撮影開始／停止ボタン４０Ｂをタッチ操作する。
【００６９】
電子機器１０は、ＳＴＡＲＴ／ＳＴＯＰボタン４０Ａ、または、画面２０ａに表示された撮影開始／停止ボタン４０Ｂに対して操作が入力されたことを、操作検出部４１Ａまたは操作検出部４１Ｂによって検出する。電子機器１０は、操作情報取得部７４によって操作情報を取得する。電子機器１０は、動作制御部７５によって撮像部に対して撮影を開始する制御信号を出力する。
【００７０】
図９ないし図１２を用いて、例えば、ＳＤカードを入れる操作について説明する取扱説明動画１００を再生するとき、電子機器１０が行う処理について説明する。図９は、第一実施形態に係る電子機器の取扱説明動画の他の例を示す図である。図１０は、第一実施形態に係る電子機器の操作部の他の例を示す斜視図である。図１１は、第一実施形態に係る電子機器の操作部の他の例を示す斜視図である。図１２は、第一実施形態に係る電子機器の操作部の他の例を示す斜視図である。
【００７１】
図９に示すように、電子機器１０は、再生制御部７１によって、ＳＤカードを入れる操作について説明する取扱説明動画１００をモニタ２０に表示し、スピーカ３０で取扱説明動画１００の音声を出力する。
【００７２】
取扱説明動画１００には、３つの操作部制御情報が関連付けられている。より詳しくは、取扱説明動画１００の再生位置が、図９に示す動画像がモニタ２０に表示された状態で、「１  ＳＤカードカバーを開ける」という音声が再生される位置であるとき、「２  液晶モニタを閉じて本機の電源を切る」という音声が再生される位置であるとき、および、「３  ＳＤカードを入れる」という音声が再生される位置であるとき、関連付けられた操作部制御情報がそれぞれ存在する。
【００７３】
図１０に示すように、電子機器１０は、図９に示す動画像がモニタ２０に表示された状態で、「１  ＳＤカードカバーを開ける」という音声が再生されると、操作部制御情報に基づいて、発光制御部７３によって、操作部４０であるＳＤカードカバー４０Ｃの発光部４２Ｃを点灯する。
【００７４】
ユーザは、ＳＤカードカバー４０Ｃの発光部４２Ｃが点灯していることにより、ＳＤカードカバー４０Ｃを操作すればよいことを確認する。ユーザは、ＳＤカードカバー４０Ｃを開操作する。
【００７５】
図１１に示すように、電子機器１０は、図９に示す動画像がモニタ２０に表示された状態で、「２  液晶モニタを閉じて本機の電源を切る」という音声が再生されると、操作部制御情報に基づいて、発光制御部７３によって、操作部４０であるモニタ２０の本体の発光部２２を点灯する。
【００７６】
ユーザは、モニタ２０の本体の発光部２２が点灯していることにより、モニタ２０の本体を操作すればよいことを確認する。ユーザは、モニタ２０の本体を閉操作する。
【００７７】
電子機器１０は、モニタ２０が閉操作されたことを操作検出部２１によって検出する。電子機器１０は、操作情報取得部７４によって操作情報を取得する。電子機器１０は、動作制御部７５によって電子機器１０の電源をオフにする制御信号を出力する。
【００７８】
図１２に示すように、電子機器１０は、図９に示す動画像がモニタ２０に表示された状態で、「３  ＳＤカードを入れる」という音声が再生されると、操作部制御情報に基づいて、発光制御部７３によって、操作部４０であるＳＤカードスロット４０Ｄの発光部４２Ｄを点灯する。
【００７９】
ユーザは、ＳＤカードスロット４０Ｄの発光部４２Ｄが点灯していることにより、ＳＤカードスロット４０Ｄに対して操作すればよいことを確認する。ユーザは、ＳＤカードスロット４０ＤにＳＤカードを挿入する。
【００８０】
電子機器１０は、ＳＤカードスロット４０ＤにＳＤカードが挿入されたことを操作検出部４１Ｄによって検出する。電子機器１０は、操作情報取得部７４によって操作情報を取得する。電子機器１０は、動作制御部７５によって読取部にＳＤカードを読み取る制御信号を出力する。
【００８１】
このように、電子機器１０は、再生している取扱説明動画１００において説明されているモニタ２０の本体の発光部２２または各操作部４０の発光部４２の発光を制御する。電子機器１０は、モニタ２０の本体または各操作部４０に対する操作に応じて、動作部５０の動作を制御する。
【００８２】
つづいて、モニタ２０において取扱説明動画１００が再生されていない状態において、操作部４０を操作した場合について説明する。なお、通常の操作と異なる動作をするように、予め「説明モード」に設定したり、操作部４０に対する操作を通常の操作とは異なる長押しなどに変えたりするものとする。
【００８３】
ユーザは、モニタ２０において取扱説明動画１００が再生されていない状態において、操作部４０を操作する。
【００８４】
再生制御部７１は、取扱説明動画１００が再生されていない状態において、操作部４０をユーザが操作するので、操作された操作部４０に関連する取扱説明動画１００をモニタ２０に表示する。再生制御部７１は、操作部４０に関連する取扱説明動画１００が複数ある場合は、各動画のサムネイルをモニタ２０にリストにして表示してもよい。
【００８５】
このように、電子機器１０は、モニタ２０において取扱説明動画１００が再生されていない状態において、操作部４０を操作すると、操作された操作部４０に関連する取扱説明動画１００をモニタ２０に表示する。
【００８６】
上述したように、本実施形態は、取扱説明動画１００と、取扱説明動画１００に対応して操作を行う操作対象とを関連付けて記憶する。本実施形態は、取扱説明動画１００が再生され、再生位置が所定位置になると、取扱説明動画１００において説明されているモニタ２０の本体の発光部２２または操作部４０の発光部４２を点灯する。本実施形態によれば、取扱説明動画１００の再生位置に応じて、操作を行うモニタ２０の本体の発光部２２または操作部４０の発光部４２が点灯する。これにより、本実施形態は、ユーザが取扱説明動画１００によって操作を確認する際に、操作対象を迷ったり誤って操作したりすることを抑制することができる。
【００８７】
これに対して、従来の印刷された取扱説明書を参照して、操作を確認する場合、取扱説明書の該当ページを参照しながら、電子機器１０に照らし合わせて操作対象の位置を確認したり、操作を確認する必要があった。このため、初めて電子機器１０を操作する場合や、電子機器１０の操作に不慣れなユーザが使用する場合には、操作の確認に手間と時間とを要するおそれがある。
【００８８】
また、本実施形態は、取扱説明動画１００が再生されていない状態において、操作部４０をユーザが操作すると、操作された操作部４０に関連する取扱説明動画１００をモニタ２０に表示する。これにより、ユーザが、電子機器１０の操作部４０の操作がわからないときに、取扱説明動画１００によって、操作部４０で行うことができる操作を容易に確認することができる。従来の印刷された取扱説明書において当該操作部４０に関連した操作を探すことに比べて、操作の確認を容易にすることができる。
【００８９】
このように、本実施形態は、電子機器１０の操作をよりわかり易く説明することができる。本実施形態は、電子機器１０の操作をより適切に支援することができる。このようにして、本実施形態によれば、操作性をよくすることができる。
【００９０】
［第二実施形態］
図１３を参照しながら、本実施形態に係る電子機器１０について説明する。図１３は、第二実施形態に係る電子機器が行う処理の一例を示すフローチャートである。電子機器１０は、基本的な構成は第一実施形態の電子機器１０と同様である。以下の説明においては、電子機器１０と同様の構成要素には、同一の符号または対応する符号を付し、その詳細な説明は省略する。本実施形態の電子機器１０は、制御部７０における処理が、第一実施形態と異なる。
【００９１】
再生制御部７１は、再生している取扱説明動画１００と異なる取扱説明動画１００へ移動する操作であるジャンプ操作がされると、移動先であるジャンプ先の取扱説明動画１００を再生する。より詳しくは、再生制御部７１は、取扱説明動画１００がジャンプされたことを検出すると、ジャンプ先の取扱説明動画１００を再生する制御信号を出力する。ジャンプ操作されたとは、例えば、早送り操作またはジャンプ操作のことをいう。
【００９２】
表示制御部７２は、取扱説明動画１００の再生中に、ユーザの操作によって取扱説明動画１００がジャンプされたことを検出する。表示制御部７２は、取扱説明動画１００の再生中に、再生制御部７１による制御に基づいて、モニタ２０にジャンプ先の取扱説明動画１００を表示する映像信号を出力する。
【００９３】
図１３に示すフローチャートのステップＳ２１、ステップＳ２３ないしステップＳ２７の処理は、図５に示すフローチャートのステップＳ１１、ステップＳ１２ないしステップＳ１６の処理と同様の処理を行う。
【００９４】
電子機器１０は、取扱説明動画１００の再生中に、ジャンプ操作がされたか否かを判定する（ステップＳ２２）。より詳しくは、電子機器１０は、再生制御部７１によって、ジャンプ操作が検出された場合（ステップＳ２２でＹｅｓ）、ステップＳ２８に進む。電子機器１０は、再生制御部７１によって、ジャンプ操作が検出されない場合（ステップＳ２２でＮｏ）、ステップＳ２３に進む。
【００９５】
ユーザが取扱説明動画１００の再生中にジャンプ操作を行うと（ステップＳ２２でＹｅｓ）、電子機器１０は、ジャンプ先の取扱説明動画１００を再生する（ステップＳ２８）。より詳しくは、電子機器１０は、再生制御部７１によって、ジャンプ先の取扱説明動画１００を再生する制御信号を出力する。電子機器１０は、表示制御部７２によって、モニタ２０にジャンプ先の取扱説明動画１００を表示する映像信号を出力する。電子機器１０は、ステップＳ２９に進む。
【００９６】
電子機器１０は、ジャンプ先の取扱説明動画１００の再生位置が、操作対象を点灯させる位置に到達したか否かをを判定する（ステップＳ２９）。電子機器１０は、操作部制御情報が関連付けられた位置に到達したと判定される場合、ジャンプ先の取扱説明動画１００の再生位置がモニタ２０の本体または操作部４０を点灯させる位置に到達したと判定して（ステップＳ２９でＹｅｓ）、ステップＳ３０に進む。電子機器１０は、操作部制御情報が関連付けられた位置に到達していないと判定される場合、ジャンプ先の取扱説明動画１００の再生位置がモニタ２０の本体または操作部４０を点灯させる位置に到達していないと判定し（ステップＳ２９でＮｏ）、ステップＳ２９の処理を再度実行する。
【００９７】
電子機器１０は、ジャンプ先の操作対象を点灯させる（ステップＳ３０）。より詳しくは、電子機器１０は、発光制御部７３によって、操作部制御情報に基づいて、モニタ２０の本体の発光部２２または操作部４０の発光部４２を点灯する。電子機器１０は、ステップＳ３１に進む。
【００９８】
電子機器１０は、ジャンプ先の操作対象への入力があるか否かを判定する（ステップＳ３１）。電子機器１０は、操作情報取得部７４によって、モニタ２０の本体または操作部４０への入力が検出された場合（ステップＳ３１でＹｅｓ）、ステップＳ３２に進む。電子機器１０は、操作情報取得部７４によって、モニタ２０の本体または操作部４０への入力が検出されない場合（ステップＳ３１でＮｏ）、ステップＳ３１の処理を繰り返す。
【００９９】
電子機器１０は、ジャンプ先の動作を実行する（ステップＳ３２）。より詳しくは、電子機器１０は、動作制御部７５によって、モニタ２０の本体または操作部４０への入力に応じて動作部５０の動作を実行する。電子機器１０は、ステップＳ３３に進む。
【０１００】
電子機器１０は、ジャンプ先の取扱説明動画１００の再生を終了する（ステップＳ３３）。より詳しくは、電子機器１０は、再生制御部７１によって、取扱説明動画１００の再生を終了する。電子機器１０は、処理を終了する。
【０１０１】
上述したように、本実施形態は、取扱説明動画１００の再生中にジャンプ操作がされたとき、ジャンプ先の取扱説明動画１００が再生され、再生位置が所定位置になると、ジャンプ先の取扱説明動画１００において説明されているモニタ２０の本体の発光部２２または操作部４０の発光部４２を点灯する。本実施形態によれば、ジャンプ先の取扱説明動画１００の再生位置に応じて、操作を行うモニタ２０の本体の発光部２２または操作部４０の発光部４２が点灯する。これにより、本実施形態は、ユーザが取扱説明動画１００によって操作を確認する際に、ジャンプ操作を行ったとしても、適切に操作を確認することができる。
【０１０２】
［第三実施形態］
図１４を参照しながら、本実施形態に係る電子機器１０について説明する。図１４は、第三実施形態に係る電子機器の構成例を示すブロック図である。本実施形態では、取扱説明動画１００を再生する表示装置２００と、電子機器３００とが独立した機器で構成されている。
【０１０３】
表示装置２００は、主に、第一実施形態のモニタ２０の機能を有するモニタ２１０、スピーカ３０の機能を有するスピーカ２２０、記憶部６０の機能を有する記憶部２３０、および、これらに対する各種制御を行う制御部２４０を有する。制御部２４０は、再生制御部２４１と表示制御部２４２と制御信号出力部２４３とを有する。再生制御部２４１は、再生制御部７１と同様の機能を有する。表示制御部２４２は、表示制御部７２と同様の機能を有する。制御信号出力部２４３は、発光制御部７３と同様の機能を有する。より詳しくは、制御信号出力部２４３は、取扱説明動画１００の再生時に、操作部制御情報に基づいて、取扱説明動画１００において説明されているモニタ２０の本体の発光部２２または操作部４０の発光部４２を点灯する制御信号を電子機器３００に出力する。
【０１０４】
電子機器３００は、操作部４０と同様に構成された操作部３１０と、動作部５０と同様に構成された動作部３２０と、これらに対する各種制御を行う制御部３３０とを有する。制御部３３０は、制御信号取得部３３１と発光制御部３３２と操作情報取得部３３３と動作制御部３３４とを有する。制御信号取得部３３１は、表示装置２００から制御信号を取得する。発光制御部３３２は、発光制御部７３に対応する機能を有する。操作情報取得部３３３は、操作情報取得部７４に対応する機能を有する。動作制御部３３４は、動作制御部７５に対応する機能を有する。
【０１０５】
上述したように、本実施形態によれば、情報を表示するモニタを有していない電子機器３００であっても、例えば、携帯通信端末またはコンピュータを含むモニタを有する表示装置２００を使用して、適切に操作を支援することができる。
【０１０６】
これまで本発明に係る電子機器１０について説明したが、上述した実施形態以外にも種々の異なる形態にて実施されてよいものである。
【０１０７】
図示した電子機器１０の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【０１０８】
電子機器１０の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【０１０９】
電子機器１０は、取扱説明動画１００において説明されているモニタ２０の本体の発光部２２または操作部４０の発光部４２を点灯するとともに、例えば、操作部４０または操作部４０を移動する移動機構などを駆動する図示しない操作制御部を制御部７０に有してもよい。より詳しくは、例えば、図９に示す、ＳＤカードを入れる操作について説明する取扱説明動画１００が再生されると、発光制御部７３によって、ＳＤカードカバー４０Ｃの発光部４２Ｃを点灯するとともに、操作制御部によって、ＳＤカードカバー４０Ｃの移動機構を駆動してＳＤカードカバー４０Ｃを開操作する。これにより、例えば、操作部４０の操作が難しいと予想される場合、注意を要する場合などに、操作制御部によって操作部４０の操作を実行することができる。このようにすることで、より適切に操作を支援することができる。
【０１１０】
上記の実施形態では、取扱説明データは、取扱説明動画１００として説明したが、これに限定されない。取扱説明データが取扱説明書をホームページなどで画像として公開するＷＥＢページまたは電子ファイルであってもよい。この場合、発光制御部７３によって、操作対象の操作部４０の発光部４２を発光するとき、表示制御部７２によって、取扱説明データの該当ページにおいて操作対象の操作部４０を示す文字列の色を変えてもよい。また、一ページに複数の操作対象の操作部４０が表示されている場合、操作の順番に従って、操作対象の操作部４０を示す文字列の色を変え、操作が完了したら、次の操作対象の操作部４０を示す文字列の色を変えるようにすることが好ましい。
【０１１１】
例えば、年齢、性別、電子機器１０の使用頻度、同じ取扱説明動画１００の再生回数など電子機器１０のユーザ属性によって、モニタ２０に表示する取扱説明動画１００における説明を詳細化または簡略化したり、文字の大きさを変えたりしてもよい。さらに、ユーザ属性によって、上述したように、モニタ２０の本体の発光部２２または操作部４０の発光部４２を点灯するとともに、操作制御部によって操作部４０の操作を実行するようにしてもよい。これにより、ユーザの属性に合わせて、より適切に操作を支援することができる。
【０１１２】
上記の実施形態では、取扱説明動画１００が再生され、再生位置が所定位置になると、取扱説明動画１００において説明されているモニタ２０の本体の発光部２２または操作部４０の発光部４２を点灯するとしたが、他の方法であってもよい。再生位置が所定位置になると、例えば、操作部４０が振動するようにしてもよい。この場合、操作部４０は、発光部４２に代えて、振動部（図示せず）を有してもよい。振動部は、例えば、振動モータや振動板である。
【０１１３】
さらに、他の方法としては、再生位置が所定位置になると、例えば、スピーカ３０が音声を発してもよい。例えば、操作部４０の位置が把握できるように「右横のボタンを押して下さい」など、操作部４０の位置を含めた音声を発してもよい。
【０１１４】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【符号の説明】
【０１１５】
１０      電子機器
２０      モニタ
２１      操作検出部
２２      発光部
３０      スピーカ
４０      操作部
４１      操作検出部
４２      発光部
５０      動作部
６０      記憶部
７０      制御部
７１      再生制御部
７２      表示制御部
７３      発光制御部
７４      操作情報取得部
７５      動作制御部
１００    取扱説明動画
【図１】
2019061401.tif 000003
【図２】
2019061401.tif 000004
【図３】
2019061401.tif 000005
【図４】
2019061401.tif 000006
【図５】
2019061401.tif 000007
【図６】
2019061401.tif 000008
【図７】
2019061401.tif 000009
【図８】
2019061401.tif 000010
【図９】
2019061401.tif 000011
【図１０】
2019061401.tif 000012
【図１１】
2019061401.tif 000013
【図１２】
2019061401.tif 000014
【図１３】
2019061401.tif 000015
【図１４】
2019061401.tif 000016